(57)【要約】【課題】カバーリング方式のソファーを覆う生地カバーを容易に着脱可能に保持する様々なボタンに対応可能なボタン留め具を提供する。【解決手段】ボタン留め具１００は、２つの略半円形状の平板１１０と、平面上に載置された２つの平板１１０を互いの略半円の直径が対向させて所定の間隔Ｔ（１）を開けて接続する、平面に平行な方向から見た側面視で略Ｕ字形状の接続部１２０とが、一体的に形成され、接続部１２０は、脚付きボタンの脚部に設けられた穴部に係合する略円形の突起状に形成された係止部１３０を備える。【選択図】図４
2016202487.tif 000002
【特許請求の範囲】
【請求項１】
カバーリング方式の椅子自体のクッション材または椅子に付けるクッション材を覆う生地カバーを着脱可能に保持する脚付きボタンを留める樹脂製の留め具であって、
２つの平板と、
平面上に載置された前記２つの平板を互いの端面を対向させて所定の間隔を開けて接続する、前記平面に平行な方向から見た側面視で略Ｕ字形状の接続部とが、一体的に形成され、
前記平板または前記接続部は、前記脚付きボタンの脚部に設けられた穴部を係止する係止部を備える、着脱可能なカバーのボタン留め具。
【請求項２】
前記係止部は、前記接続部における略Ｕ字形状の互いに向かい合う面の少なくとも一方の面に突起状に形成される、請求項１に記載の着脱可能なカバーのボタン留め具。
【請求項３】
前記接続部は、前記略Ｕ字形状の開放側が前記平板の一方の面よりも突出するとともに、前記略Ｕ字形状の底側が前記平板の他方の面よりも突出するように、前記平板と一体的に形成され、
前記係止部は、前記接続部における略Ｕ字形状の開放側の互いに向かい合う面の少なくとも一方の面に前記穴部に係合する略円形の突起状に形成される、請求項１に記載の着脱可能なカバーのボタン留め具。
【請求項４】
前記平板は、略半円形状であって、前記略半円の直径が対向するように所定の間隔を開けて前記接続部により接続され、
前記接続部の前記直径方向長さは前記直径よりも短い、請求項３に記載の着脱可能なカバーのボタン留め具。
【請求項５】
前記略Ｕ字形状の開放側の端部は丸みを帯びている、請求項３または請求項４に記載の着脱可能なカバーのボタン留め具。
【発明の詳細な説明】
【技術分野】
【０００１】
本発明は、椅子自体の背部および座部のクッション材または椅子に付けるクッション材を覆う生地カバー（綿、ウール、ポリエステル、アクリル等の布、牛革等の革、合成皮革を含む）を保持する留め具に関し、特に、生地カバーを保持するボタンを容易に着脱可能に留めるボタン留め具に関する。
【背景技術】
【０００２】
ソファー等の椅子自体の背部または／および座部には座り心地を向上させるために、クッションがソファー自体と一体化されて設けられていたり、ソファーの背部または座部にクッションが付けられていたりすることがある。これらのクッションは、その中身（充填材）としてクッション性を備えたウレタンフォーム、ポリエステル綿、羽毛等のクッション材が、生地カバーで覆われているものが多い。この場合において、クッションの中身のクッション材（充填材）が自由に動き回ることができてしまうと、クッションの保形性が低下してしまい、ソファーの形状が保持できなかったりクッションの形状が保持できなかったりする。このため、クッションの表面と裏面とを紐状物（紐、伸縮性を備えた紐等）で結ばれた飾りボタン（くるみボタン）等により、数ヶ所を接続することがある。クッション内部において、数ヶ所において表面と裏面とを接続した紐状物により中身のクッション材が保持されて、ソファーの形状が保持できるようになったり、クッションの形状が保持できるようになったりする。また、このような数ヶ所の飾りボタンでソファーやクッションの表面（と裏面と）を加飾することは、ソファーやクッションのデザイン性を高めることにも繋がっている。
【０００３】
ところで、ソファーにおいて、上述した表面と裏面とを接続する紐状物は、取り外すことができないことが多く、表面が汚れた場合にはソファーを分解して紐状物を切断しないと、生地カバーが選択できるものであるとしても、この生地カバーを取り外して洗濯することができないという問題がある。
このような問題に対して、生地カバーを着脱自在にすることにより、表面が汚れた場合にはソファーを分解することなく生地カバーを取り外して洗濯することが考えられる。このような、椅子の背部または座部、ピローのクッション等において、表面が汚れた場合の対策として、カバー（表層部）を着脱式として洗濯可能としたカバーリング方式が一般化している。
【０００４】
実用新案登録第３１９５０１６号公報（特許文献１）は、ソファーに適用されるものではなくクッションに適用されるものであるが、このようなカバーリング方式に適用可能な着脱式カバーを開示する。この着脱式カバーは、ボタン付きクッションのボタン位置に対応する場所に予め切り込みを入れられており、その周囲が布地のほつれがでないようにかがり縫いが施されたボタン穴が設けられている。そして、この着脱式カバーは、ウレタンフォーム等の充填材が布地等で包まれて、かつ、その表面にボタンが取り付けられたボタン付きクッションに、着脱自在に装着される。この着脱式カバーをボタン付きクッションに装着する場合には、ボタン付きクッションのボタンを、着脱式カバーの裏面よりボタン穴を通して着脱式カバーの表面に出す。このように、クッションとカバーとの関係が一体化されるので収まりが良く、使用時のズレによる変形を起こしにくい（保形性が良い）。
【先行技術文献】
【特許文献】
【０００５】
【特許文献１】実用新案登録第３１９５０１６号公報
【発明の概要】
【発明が解決しようとする課題】
【０００６】
しかしながら、上述した特許文献１に開示された着脱式カバーは、ボタンを表面に備えるという特殊な形態のボタン付きクッションと必ず組み合わせて使用しなければならない。このため、充填材であるクッションにボタンが必ず付いていなければならないために汎用性が低いという問題がある。また、着脱式カバーの色合いとボタン付きクッションのボタンの色合いとを合わせておいても（同じ色合いで合わせる場合も異なる色合いで合わせる場合も含む）着脱式カバーを替えてしまうと、ボタン付きクッションのボタンの色合いとが合わなくなることもあって（デザイン的に好ましくなくなって）、そのような場合にはボタン付きクッションのボタンを取り替えなければならないという問題がある。
【０００７】
本発明は、従来技術の上述の問題点に鑑みて開発されたものであり、その目的とするところは、カバーリング方式の椅子自体または椅子に付ける、背部のクッション材または座部のクッション材を覆う生地カバーを着脱可能に保持するボタンを留める留め具であって、様々なボタンを使用できかつクッション（充填材）にボタンが付いている必要がない点で汎用性が高く、安価で、着脱作業が容易な、着脱可能なカバーのボタン留め具を提供することである。
【課題を解決するための手段】
【０００８】
上記目的を達成するため、本発明に係る着脱可能なカバーのボタン留め具は以下の技術的手段を講じている。
すなわち、本発明に係る着脱可能なカバーのボタン留め具は、カバーリング方式の椅子自体のクッション材または椅子に付けるクッション材を覆う生地カバーを着脱可能に保持する脚付きボタンを留める樹脂製の留め具であって、２つの平板と、平面上に載置された前記２つの平板を互いの端面を対向させて所定の間隔を開けて接続する、前記平面に平行な方向から見た側面視で略Ｕ字形状の接続部とが、一体的に形成され、前記平板または前記接続部は、前記脚付きボタンの脚部に設けられた穴部を係止する係止部を備える。
【０００９】
好ましくは、前記係止部は、前記接続部における略Ｕ字形状の互いに向かい合う面の少なくとも一方の面に突起状に形成されるように構成することができる。
さらに好ましくは、前記接続部は、前記略Ｕ字形状の開放側が前記平板の一方の面よりも突出するとともに、前記略Ｕ字形状の底側が前記平板の他方の面よりも突出するように、前記平板と一体的に形成され、前記係止部は、前記接続部における略Ｕ字形状の開放側の互いに向かい合う面の少なくとも一方の面に前記穴部に係合する略円形の突起状に形成されるように構成することができる。
【００１０】
さらに好ましくは、前記平板は、略半円形状であって、前記略半円の直径が対向するように所定の間隔を開けて前記接続部により接続され、前記接続部の前記直径方向長さは前記直径よりも短いように構成することができる。
さらに好ましくは、前記略Ｕ字形状の開放側の端部は丸みを帯びているように構成することができる。
【発明の効果】
【００１１】
本発明によれば、カバーリング方式の椅子自体または椅子に付ける、背部のクッション材または座部のクッション材を覆う生地カバーを着脱可能に保持するボタンを留める場合において、様々なボタンを使用できかつクッション（充填材）にボタンが付いている必要がない点で汎用性が高く、安価で、着脱作業が容易な、着脱可能なカバーのボタン留め具を提供することができる。
【図面の簡単な説明】
【００１２】
【図１】本発明の実施の形態に係るボタン留め具が適用されるソファーを示す図である。
【図２】本発明の実施の形態に係るボタン留め具が適用されるクッションを示す図である。
【図３】本発明の実施の形態に係るボタン留め具の三面図である。
【図４】図３に示したボタン留め具の斜視図である。
【図５】図３に示したボタン留め具を用いた、着脱可能なカバーの取付方法を説明するための図（その１）である。
【図６】図３に示したボタン留め具を用いた、着脱可能なカバーの取付方法を説明するための図（その２）である。
【図７】図３に示したボタン留め具を用いた、着脱可能なカバーの取付方法を説明するための斜視図である。
【図８】本発明の第１の変形例に係るボタン留め具を用いた、着脱可能なカバーの取付方法を説明するための図である。
【図９】本発明の第２の変形例に係るボタン留め具を用いた、着脱可能なカバーの取付方法を説明するための図である。
【図１０】本発明の第３の変形例に係るボタン留め具の二面図である。
【図１１】図１０に示したボタン留め具の斜視図である。
【図１２】図１０に示したボタン留め具を用いた、着脱可能なカバーの取付方法を説明するための図である。
【発明を実施するための形態】
【００１３】
以下、本発明の実施の形態に係るボタン留め具１００を、図面に基づき詳しく説明する。このボタン留め具１００ならびにこのボタン留め具１００を用いた着脱可能な生地カバーの取り付け方法および取り外し方法を説明する前に、このボタン留め具１００が好適に使用される、カバーリング方式の椅子自体（本実施の形態においてはソファー１０とする）またはカバーリング方式のクッション２０（たとえばソファー１０の背部または座部に付するクッション）について、図１および図２を用いて説明する。
【００１４】
このボタン留め具１００が好適に使用されるソファー１０の正面図を図１（Ａ）に、その背面図を図１（Ｂ）にそれぞれ示す。このソファー１０は、限定されるものではないが２人用のソファーであって、着座者の背中が当接する背部および臀部が当接する座部を含み、左右の肘掛け部、４本の脚等を含む構成を備える。
背部は、背部表生地カバー１２Ｆおよび背部裏生地カバー１２Ｂから構成される着脱可能な背部生地カバー１２でクッション材が覆われている。座部は、座部表生地カバー１４Ｆおよび座部裏生地カバー（図示しない）から構成される着脱可能な座部生地カバー１４でクッション材が覆われている。ここで、クッション材は、生地カバーに覆われる充填材としてのクッション性を備えたウレタンフォーム等である。
【００１５】
そして、背部生地カバー１２は、背部表生地カバー１２Ｆ側に脚付きボタン（裏側ボタン５００に対する表側ボタン）２００が表出して、背部裏生地カバー１２Ｂ側に裏側ボタン５００が表出して、脚付きボタン２００と裏側ボタン５００とが、後述するボタン留め具１００および紐状物４００により接続されている。このように数ヶ所（図１の背部では１２ヶ所）において表面と裏面とを接続した紐状物により中身のクッション材が保持されて、ソファー１０の背部形状が保持できるようになっていたり、デザイン性が高められていたりする。
【００１６】
なお、座部も背部と同じように、座部表生地カバー１４Ｆ側に脚付きボタン２００が表出して、座部裏生地カバー側に裏側ボタン５００が表出して、脚付きボタン２００と裏側ボタン５００とが後述するボタン留め具１００および紐状物４００により接続されている。このように数ヶ所（図１の座部では１２ヶ所）において表面と裏面とを接続した紐状物により中身のクッション材が保持されて、ソファー１０の座部形状が保持できるようになっている。
【００１７】
さらに、このボタン留め具１００が好適に使用されるクッション２０の表面図およびその背面図を図２に示す。このクッション２０は、限定されるものではないが、１人用のクッションであって、使用者の背中または臀部が当接する。
クッション表生地カバー２２Ｆおよびクッション裏生地カバー２２Ｂから構成される袋状の着脱可能なクッション生地カバー２２でクッション材が覆われている。ここで、クッション材は、生地カバーに覆われる充填材としてのクッション性を備えたウレタンフォーム、ポリエステル綿、羽毛等である。
【００１８】
そして、クッション生地カバー２２は、クッション表生地カバー２２Ｆ側に脚付きボタン２００が表出して、クッション裏生地カバー２２Ｂ側に裏側ボタン５００が表出して、脚付きボタン２００と裏側ボタン５００とが後述するボタン留め具１００および紐状物４００により接続されている。このように数ヶ所（図２のクッション２０では６ヶ所）において表面と裏面とを接続した紐状物により中身のクッション材が保持されて、クッション２０の形状が保持できるようになっていたり、デザイン性が高められていたりする。
【００１９】
なお、詳しくは後述するが、脚付きボタン２００は一般的に衣類または家具に用いられる脚付きボタン（たとえばくるみボタン）であって、裏側ボタン５００はボタン留め具１００と類似する構成を備えた留め具である。
［ボタン留め具（専用品）の構成およびその他の汎用品の構成］
図３に示す本実施の形態に係るボタン留め具１００の三面図、図４に示すこのボタン留め具１００の斜視図、図５〜図７に示すボタン留め具１００を用いた着脱可能な生地カバー３００の取付方法を説明するための図を参照して、ボタン留め具１００（専用品）の構成およびその他の汎用品の構成について説明する。なお、図３、図５および図６におけるそれぞれの（Ａ）と（Ｂ）とでは、ボタン留め具１００が９０°回転している。
【００２０】
まず、本実施の形態に係るボタン留め具１００の構成について説明して、その後にこのボタン留め具１００を用いて着脱可能な生地カバー３００の取り付ける場合に使用する汎用品（脚付きボタン２００、紐状物４００、裏側ボタン５００）の構成について説明する。
・ボタン留め具１００（専用品）
これらの図に示すように、このボタン留め具１００は、大略的には、２つの平板１１０と、平面上に載置された２つの平板１１０を互いの端面を対向させて所定の間隔Ｔ（１）を開けて接続する、平面に平行な方向から見た側面視（図４参照）で略Ｕ字形状の接続部１２０とが、一体的に形成されている。そして、接続部１２０は、脚付きボタン２００の脚部２１０に設けられた穴部２１２を係止する係止部１３０を備える。このボタン留め具１００は、特に限定されるものではないが、高分子化合物からなる合成樹脂製であって、たとえばポリエチレン（ＰＥ）、ポリプロピレン（ＰＰ）、ポリスチレン（ＰＳ）等である。これらの樹脂でボタン留め具１００を形成すると、樹脂が備える弾性により、脚付きボタン２００の脚部２１０に設けられた穴部２１２に係止部１３０の略円形の突起を係合（嵌合）するときに接続部１２０の上方立設部１２６が弾性により広がり、穴部２１２に係止部１３０の略円形の突起が係合（嵌合）した後は接続部１２０の上方立設部１２６が弾性により元に戻ってボタン留め具１００から脚付きボタン２００が容易に外れない。
【００２１】
さらに、接続部１２０は、略Ｕ字形状の開放側が平板１１０の一方の面よりも突出するとともに、略Ｕ字形状の底側が平板１１０の他方の面よりも突出するように、平板１１０と一体的に形成されている。そして、係止部１３０は、接続部１２０における略Ｕ字形状の開放側の互いに向かい合う面の少なくとも一方の面（本実施の形態においては両面であるが片面でも構わない）に、脚付きボタン２００の脚部２１０に設けられた穴部２１２に係合する略円形の突起状に形成されている。
【００２２】
さらに、この平板１１０は、略半円形状であって、略半円の直径が対向するように所定の間隔Ｔ（１）を開けて接続部１２０により接続され、接続部１２０の直径方向長さＬ（２）またはＬ（３）は、平板１１０の略半円の直径Ｌ（１）よりも短い。ここで、接続部１２０の直径方向長さは、図３（Ｂ）の中段に示すように、Ｌ（２）またはＬ（３）であるが、いずれにしても直径Ｌ（１）よりも短い。
【００２３】
さらに、接続部１２０の略Ｕ字形状の開放側１２０Ｕの端部１２８は丸みを帯びた半球状としている。このボタン留め具１００が繰り返し使用される場合に、丸みがないと脚付きボタン２００の脚部２１０が上方立設部１２６に当たると切り欠かれてしまう可能性があるのに対して、端部１２８が丸みを帯びているので脚付きボタン２００の脚部２１０が上方立設部１２６に当たってもこのような切り欠きが発生しないために耐久性の点で好ましい。
【００２４】
大略的にはこのような構成を備えた本実施の形態に係るボタン留め具１００についてさらに詳しく説明する。
図３（Ａ）および図３（Ｂ）の上段または下段に示すように、このボタン留め具１００の平板は、略半円形状であって、略半円の直径が対向するように所定の間隔Ｔ（１）を開けて、平板１１０の表裏を貫くようにして（上述したように略Ｕ字形状の開放側が平板１１０の一方の面（ここでは表面側）よりも突出するとともに、略Ｕ字形状の底側が平板１１０の他方の面（ここでは裏面側）よりも突出するようにして）設けられる、図４に示す
側面視で略Ｕ字形状の接続部１２０により接続されている。
【００２５】
この接続部１２０は、側面視において平板１１０の表裏を貫くような略Ｕ字形状であって、平板１１０の表面１１０Ｆに接続部１２０の上方立設部１２６が設けられることにより接続部１２０の略Ｕ字形状の開放側１２０Ｕが平板１１０の表面１１０Ｆよりも突出して、略Ｕ字形状の底側１２０Ｄが平板１１０の裏面１１０Ｂよりも突出して、平板１１０の裏面１１０Ｂに接続部１２０の下方立設部１２４が設けられることにより接続部１２０の略Ｕ字形状の底側１２０Ｄが平板１１０の裏面１１０Ｂよりも突出している。２つの下方立設部１２４は底部１２２により接続されている。この場合において、接続部１２０の底部１２２は２つの平板１１０を間隔Ｔ（１）を開けて接続している。
【００２６】
図５（Ａ）に示すように、この間隔Ｔ（１）は、脚付きボタン２００の脚部２１０の厚みＴ（２）より若干狭くなっており、樹脂製の略Ｕ字形状の接続部１２０の上方立設部１２６を広げて、脚付きボタン２００の脚部２１０に設けられた穴部２１２に係止部１３０の略円形の突起が係合（嵌合）するように、ボタン留め具１００に脚付きボタン２００を嵌め込む。
【００２７】
このとき、脚付きボタン２００の脚部２１０に設けられた穴部２１２に係止部１３０の略円形の突起が容易に係合（嵌合）するとともに、係合（嵌合）後は容易に外れないように、係止部１３０の略円形突起の直径Ｄ（１）は、脚付きボタン２００の脚部２１０に設けられた穴部２１２の直径Ｄ（２）よりも若干小さくなっている。
このように、ボタン留め具１００自体の素材が樹脂であることに加えて、ボタン留め具１００における平板１１０の間隔Ｔ（１）と脚付きボタン２００の脚部２１０の厚みＴ（２）との関係、および、ボタン留め具１００における係止部１３０の略円形突起の直径Ｄ（１）と脚付きボタン２００の脚部２１０の穴部２１２の直径Ｄ（２）との関係が成立しているので、脚付きボタン２００の脚部２１０に設けられた穴部２１２に係止部１３０の略円形の突起が容易に係合（嵌合）するとともに、穴部２１２に係止部１３０の略円形の突起が係合（嵌合）した後は、ボタン留め具１００から脚付きボタン２００が容易に外れない。
【００２８】
さらに、このボタン留め具１００の接続部１２０の直径方向長さＬ（２）またはＬ（３）は、平板１１０の略半円の直径Ｌ（１）よりも短い。上述したようにボタン留め具１００に脚付きボタン２００を嵌め込む場合には、接続部１２０の直径方向長さＬ（２）またはＬ（３）（ここでは特にＬ（３））が長いと接続部１２０の開放側１２０Ｕを広げにくくなりボタン留め具１００に脚付きボタン２００を嵌め込みにくくなる。一方、ボタン留め具１００自体の強度を考慮した場合には、接続部１２０の直径方向長さＬ（２）またはＬ（３）（ここでは特にＬ（２））が短いと接続部１２０の底側１２０Ｄにおいて２つの平板１１０を接続している底部１２２の強度が低くなり、ボタン留め具１００に脚付きボタン２００を嵌め込む際に底部１２２が破損したり、ボタン留め具１００に脚付きボタン２００を嵌め込んだ後に脚付きボタン２００の脚部２１０が２つの平板１１０の間隔Ｔ（１）を広げようとする力が作用して底部１２２が破損したりして、ボタン留め具１００が破損する場合がある。
【００２９】
上述したこのように相反する作用を実現するために、少なくとも、接続部１２０の直径方向長さＬ（２）またはＬ（３）は平板１１０の略半円の直径Ｌ（１）よりも短い必要がある。さらに、平板１１０の略半円の直径Ｌ（１）に対して接続部１２０の直径方向長さＬ（２）またはＬ（３）は１／２〜１／４であることが好ましく、１／３程度が特に好ましい。
【００３０】
なお、接続部１２０の直径方向長さについては、接続部１２０の略Ｕ字形状の底側１２０Ｄの底部１２２の長さＬ（２）と、接続部１２０の略Ｕ字形状の開放側１２０Ｕの上方立設部１２６の長さＬ（３）とがある。本実施の形態においては、Ｌ（２）≒Ｌ（３）とするが、上方立設部１２６は端部１２８の丸みのためにＬ（２）＞Ｌ（３）となることが多い。また、上述した相反する作用を実現するために、ボタン留め具１００自体の強度を維持しつつ脚付きボタン２００を嵌め込みやすくするためにＬ（２）＞Ｌ（３）とすることも好ましく、この場合、Ｌ（１）＞＞Ｌ（２）＞Ｌ（３）となる。
【００３１】
なお、接続部１２０の略Ｕ字形状の開放側１２０Ｕの上方立設部１２６の断面形状は２つの平板１１０の間隔Ｔ（１）を開けた略円形（直径はＬ（３）の略円形）である。これは、後述するハトメ３１０が略円形の生地穴部３１２（直径Ｔ（３））を形成していることに対応しており、Ｔ（３）＞Ｌ（３）となっている。ただし、後述するようにハトメ３１０を用いない生地穴部であっても構わないので、接続部１２０の略Ｕ字形状の開放側１２０Ｕの上方立設部１２６の断面形状が略円形に限定されるものではない。
【００３２】
なお、上述したように上方立設部１２６の断面形状が略円形に限定されるものではないが、上方立設部１２６の断面形状が略円形の場合には、図４に示すように本実施の形態に係るボタン留め具１００においては上面直径Ｄ（３）＜下面直径Ｄ（４）となっている（この点は後述する第３の変形例に係るボタン留め具９００との大きな相違点である）。
以上のような構成を備えたボタン留め具１００とともに使用される汎用品の構成について、図５〜図７を参照して説明する。
【００３３】
・汎用品（脚付きボタン２００、紐状物４００、裏側ボタン５００）
脚付きボタン２００は、特に限定されるものではなく、衣類や家具に使用される脚付きの一般的な（くるみ）ボタンである。この脚付きボタン２００は、図５〜図７に示すように、本体部２２０の裏面中央近傍に立設された略平板状の脚部２１０を備え、その脚部２１０は穴部２１２が設けられている。上述したように、この穴部２１２に、ボタン留め具１００の係止部１３０の略円形の突起が係合（嵌合）することにより、ボタン留め具１００に脚付きボタン２００が嵌め込まれる。
【００３４】
裏側ボタン５００は、特に限定されるものではなく、たとえば、ボタン留め具１００の底側のみを備える構成を備える。この裏側ボタン５００は、図５、図６に示すように、平面上に載置された２つの略半円形状の平板５１０を互いの端面を対向させて所定の間隔を開けて接続する、平面に平行な方向から見た側面視で略Ｕ字形状の接続部５２０とが、一体的に形成されている。ただし、この点でボタン留め具１００と類似するが、裏側ボタン５００はボタン留め具１００の上方立設部１２６（その端部１２８を含む）および係止部１３０を備えない。
【００３５】
紐状物４００は、ボタン留め具１００の接続部１２０の底側１２０Ｄの底部１２２と裏側ボタン５００の接続部５２０の底部５２２とを、エンドレスループ状で接続する、一般的な伸縮性を備えない紐または伸縮性を備えた紐状物である。なお、このように紐状物４００がボタン留め具１００と裏側ボタン５００とを接続するが、裏側ボタン５００を脚付きボタン２００と同じように、穴部２１２を有する脚部２１０を備えたボタンであってもよく、この場合には、紐状物４００をエンドレスループ状にする前に、紐状物４００を脚部２１０の穴部２１２に通した後にエンドレスループ状にして、ボタン留め具１００の接続部１２０の底側１２０Ｄの底部１２２に係止するようにしても構わない。このようにすると、図２に示すクッション２０の表裏で同じボタンを使用することができる。さらに、表裏で同じボタンを使用するという観点では、ボタン留め具１００と脚付きボタン２００との組合せを、表側および裏側で１組ずつ使用するようにしても構わない。
【００３６】
なお、生地カバー３００（背部生地カバー１２、座部生地カバー１４、クッション生地カバー２２）は、ボタン留め具１００と脚付きボタン２００との組合せが設けられる位置およびこの位置に対応して紐状物４００を介してボタン留め具１００と接続される裏側ボタン５００が設けられる位置には、生地穴部３１２を形成するハトメ３１０が設けられている。このハトメの内径（生地穴部３１２の直径Ｔ（３））は、ボタン留め具１００の上方立設部１２６および脚付きボタン２００の脚部２１０が少なくとも通る大きさであって、ハトメの外径は、好ましくは脚付きボタン２００の本体部２２０の最大径よりも小さくして脚付きボタン２００をボタン留め具１００に係合させるとハトメ３１０が見えなくなる点で意匠上好ましい。
【００３７】
ただし、生地カバー３００に設ける穴部はハトメ３１０により形成されるものに限定されるものではなく、ボタンホールにより形成した穴部、熱加工により形成した穴部、テープ加工により形成した穴部であっても構わない。
［生地カバーの取り付け方法および取り外し方法］
以上のような、本実施の形態に係るボタン留め具１００を用いたこのボタン留め具１００を用いた着脱可能な生地カバーの取り付け方法および取り外し方法について、上述した図１〜図７を参照して説明する。なお、図６に示すように、表側生地カバー３００Ｆと裏側生地カバー３００Ｂとの間には、充填材としてのクッション性を備えたウレタンフォーム６００が設けられている。
【００３８】
・取り付け方法
図５および図７に示すように、ボタン留め具１００と脚付きボタン２００とを、表側生地カバー３００Ｆに予め設けられたハトメ３１０により形成された生地穴部３１２に近接させる。このとき、ボタン留め具１００の接続部１２０の底部１２２には紐状物４００が通されて、紐状物４００はエンドレスループ状で、裏側ボタン５００の接続部５２０の底部５２２に通されているものとする。
【００３９】
このように、ボタン留め具１００と脚付きボタン２００とを近接させた状態から、脚付きボタン２００の脚部２１０をハトメ３１０の生地穴部３１２に通して（ボタン留め具１００の略Ｕ字形状の接続部１２０の上方立設部１２６をハトメ３１０の生地穴部３１２に通しても構わない）、樹脂製のボタン留め具１００の略Ｕ字形状の接続部１２０の上方立設部１２６を広げて、脚付きボタン２００の脚部２１０に設けられた穴部２１２に係止部１３０の略円形の突起を係合（嵌合）させる。このとき、具体的には、脚付きボタン２００の脚部２１０をボタン留め具１００の略Ｕ字形状の接続部１２０の上方立設部１２６に押し当てて上方立設部１２６を広げて、穴部２１２に係止部１３０の略円形の突起を係合（嵌合）させる。このようにして、このボタン留め具１００に脚付きボタン２００を繰り返し取り付けおよび取り外しして使用するとしても、上方立設部１２６の端部１２８が丸みを帯びているので脚付きボタン２００の脚部２１０が上方立設部１２６に押し当てても切り欠きが発生しない。
【００４０】
これにより、図５に示す状態から図６に示す状態になり、穴部２１２に係止部１３０の略円形の突起が係合（嵌合）しており、ボタン留め具１００から脚付きボタン２００が容易に外れない。このため、紐状物４００を介してボタン留め具１００と裏側ボタン５００とが接続されているので、表側から裏側へ向けて、脚付きボタン２００、ボタン留め具１００、紐状物４００および裏側ボタン５００が接続されて、生地カバー３００とウレタンフォーム６００とを一体化することができる。
【００４１】
・取り外し方法
基本的には取り付け方法の逆の手順で、生地カバー３００をウレタンフォーム６００から取り外すことができる。
図６に示す状態から、樹脂製のボタン留め具１００の略Ｕ字形状の接続部１２０の上方立設部１２６を広げて、脚付きボタン２００の脚部２１０に設けられた穴部２１２に係止している係止部１３０の略円形の突起の係合（嵌合）を取り外す。このとき、具体的には、脚付きボタン２００を傾けて脚付きボタン２００の本体部２２０の下縁をハトメ３１０の上縁に当接させて当接した部分を支点として脚付きボタン２００をひねるように脚付きボタン２００を持ち上げる（脚付きボタン２００をハトメ３１０から離隔させる）と、脚付きボタン２００の脚部２１０に設けられた穴部２１２と係止部１３０の略円形の突起との係合（嵌合）が開放されて、図５および図７に示す状態になる。
【００４２】
次に、裏側ボタン５００の接続部５２０の底部５２２にエンドレスループ状で通されている紐状物４００を、底部５２２から取り外す。このとき、ウレタンフォーム６００を押し付けると、紐状物４００を裏側ボタン５００から取り外しやすい。
これにより、クッション内部にはボタン留め具１００、紐状物４００およびウレタンフォーム６００が残り、脚付きボタン２００および裏側ボタン５００がクッションから取り外され、生地カバー３００をクッションから取り外すことができる。
【００４３】
なお、生地カバー３００を再度取り付ける際までに脚付きボタン２００および裏側ボタン５００を紛失することを防止するために、脚付きボタン２００を生地カバー３００が取り外されたクッションに残っているボタン留め具１００に取り付けて（取り付け時と同じように接続部１２０の上方立設部１２６を広げて穴部２１２に係止部１３０の略円形の突起を係合（嵌合）させて）、裏側ボタン５００を生地カバー３００が取り外されたクッションに残っている紐状物４００に取り付ける（エンドレスループ状の紐状物４００を裏側ボタン５００の接続部５２０の底部５２２に通す）ことも好ましい。
【００４４】
以上のようにして、本実施の形態に係るボタン留め具１００によると、カバーリング方式の椅子自体または椅子に付ける、背部のクッション材または座部のクッション材を覆う生地カバーを着脱可能に保持する様々なボタンをクッション（充填材）にボタンを設ける必要なく、汎用性が高く、安価で、容易に着脱させることができる。
上述したように本実施の形態に係るボタン留め具１００によって特段の作用効果を発現し得るわけであるが、このような特段の作用効果を発現し得る３つの変形例について以下に説明する。以下における３つの変形例の説明においては、特に説明しない点は、上述した実施の形態と同じである。
【００４５】
・第１の変形例
図８を参照して、本実施の形態の第１の変形例に係るボタン留め具７００について説明する。なお、図８（Ａ）はボタン留め具１００に脚付きボタン２００が係合する前の状態を示す図５（Ａ）に対応し、図８（Ｂ）はボタン留め具１００に脚付きボタン２００が係合した後の状態を示す図６（Ａ）に対応する。
【００４６】
図８に示すように、第１の変形例に係るボタン留め具７００は、ボタン留め具１００における上方立設部１２６（その端部１２８を含む）および係止部１３０を備えず、ボタン留め具１００における係止部１３０に対応する係止部７３０を平板７１０の端面に備える。
すなわち、このボタン留め具７００は、大略的には、２つの平板７１０（平板１１０に対応）と、平面上に載置された２つの平板７１０を互いの端面を対向させて所定の間隔（Ｔ（１）に対応）を開けて接続する、平面に平行な方向から見た側面視（図４参照）で略Ｕ字形状の接続部７２０（接続部１２０に対応）とが、一体的に形成されている。そして、平板７１０の端面は、脚付きボタン２００の脚部２１０に設けられた穴部２１２を係止する係止部７３０（係止部１３０に対応）を備える。また、このボタン留め具７００は、略Ｕ字形状の底側１２０Ｄに対応する底側７２０Ｄには、底部１２２に対応する底部７２２および下方立設部１２４に対応する下方立設部７２４を備える。
【００４７】
このような構成を備えた第１の変形例に係るボタン留め具７００であっても、ボタン留め具１００と同様の作用効果を発現することができる。
・第２の変形例
次に、図９を参照して、本実施の形態の第２の変形例に係るボタン留め具８００について説明する。なお、図９（Ａ）は、ボタン留め具１００に脚付きボタン２００が係合する前の状態を示す図５（Ａ）に対応し、図９（Ｂ）は、ボタン留め具１００に脚付きボタン２００が係合した後の状態を示す図６（Ａ）に対応する。
【００４８】
図９に示すように、第２の変形例に係るボタン留め具８００は、ボタン留め具１００における上方立設部１２６（その端部１２８を含む）および係止部１３０を備えず、ボタン留め具１００における係止部１３０に対応する係止フック部８３０を平板７１０の上面に備える。
すなわち、このボタン留め具８００は、大略的には、２つの平板８１０（平板１１０に対応）と、平面上に載置された２つの平板８１０を互いの端面を対向させて所定の間隔（Ｔ（１）に対応）を開けて接続する、平面に平行な方向から見た側面視（図４参照）で略Ｕ字形状の接続部８２０（接続部１２０に対応）とが、一体的に形成されている。そして、平板８１０の上面は、脚付きボタン２００の脚部２１０に設けられた穴部２１２を係止する係止フック部８３０（係止部１３０に対応）を備える。また、このボタン留め具８００は、略Ｕ字形状の底側１２０Ｄに対応する底側８２０Ｄには、底部１２２に対応する底部８２２および下方立設部１２４に対応する下方立設部８２４を備える。
【００４９】
なお、第２の変形例に係るボタン留め具８００は、第１の変形例に係るボタン留め具７００を、係止部７３０を備えないようにして、係止フック部８３０を備えるようにしたものとも言える。
このような構成を備えた第２の変形例に係るボタン留め具８００であっても、ボタン留め具１００と同様の作用効果を発現することができる。
【００５０】
・第３の変形例
図１０〜図１２を参照して、本実施の形態の第３の変形例に係るボタン留め具９００について説明する。なお、図１０（Ａ）および図１０（Ｂ）の上段および中段はボタン留め具９００の２面図であってボタン留め具１００の３面図を示した図３（Ａ）および図３（Ｂ）の上段および中段に対応し、図１１はボタン留め具１００の斜視図を示した図４に対応し、図１２（Ａ）はボタン留め具１００に脚付きボタン２００が係合する前の状態を示した図５（Ａ）に対応し、図１２（Ｂ）および図１２（Ｃ）はボタン留め具１００に脚付きボタン２００が係合した後の状態を示した図６に対応する。また、図１０（Ａ）および図１０（Ｂ）の下段は、それぞれ図１０（Ａ）および図１０（Ｂ）におけるボタン留め具１００の上方立設部９２６を部分的に拡大した図である。また、図１０（Ａ）と図１０（Ｂ）とでは、ボタン留め具９００が９０°回転しており、図１２（Ｂ）および図１２（Ｃ）における左側と右側とでは、ボタン留め具９００が９０°回転している。
【００５１】
図１０および図１１（さらには比較のための図４）に示すように、ボタン留め具１００においては上方立設部１２６の上面直径Ｄ（３）＜下面直径Ｄ（４）であること（下方広がりの略円錐台形状であること）に対して、第３の変形例に係るボタン留め具９００においては上方立設部９２６の上面直径Ｄ（３）＞下面直径Ｄ（４）であること（上方広がりの略円錐台形状であること）が特徴的な構成である。
【００５２】
すなわち、このボタン留め具９００は、大略的には、２つの平板９１０（平板１１０に対応）と、平面上に載置された２つの平板９１０を互いの端面を対向させて所定の間隔（Ｔ（１）に対応）を開けて接続する、平面に平行な方向から見た側面視（図１１参照）で略Ｕ字形状の接続部９２０（接続部１２０に対応）とが、一体的に形成されている。そして、接続部９２０は、脚付きボタン２００の脚部２１０に設けられた穴部２１２を係止する係止部９３０（係止部１３０に対応）を備える。また、このボタン留め具９００は、略Ｕ字形状の開放側１２０Ｕに対応する開放側９２０Ｕには、上方立設部１２６に対応する上方立設部９２６および端部１２８に対応する端部９２８を備え、略Ｕ字形状の底側１２０Ｄに対応する底側９２０Ｄには、底部１２２に対応する底部９２２および下方立設部１２４に対応する下方立設部９２４を備える。
【００５３】
そして、このボタン留め具９００の上方立設部９２６は、図１０（Ａ）の下段および図１０（Ｂ）の下段の部分拡大図に示すように、上面直径Ｄ（３）＞下面直径Ｄ（４）であるとともに、高さＨ（１）の形状を備える。
このボタン留め具９００は、好ましくは、図１１に示すハトメ３５０と組み合わせて使用される。このハトメ３５０は、ボタン留め具１００と組み合わせて使用されたハトメ３１０と基本的には同じ構造であって、ハトメ３５０の内径（生地穴部３５２の直径Ｔ（３））は、ボタン留め具９００の上方立設部９２６および脚付きボタン２００の脚部２１０が少なくとも通る大きさであって（直径Ｔ（３）＞上面直径Ｄ（３）（＞下面直径Ｄ（４））となる）、より詳しくは、直径Ｔ（３）は上面直径Ｄ（３）よりもわずかに大きいことが好ましい。このように直径Ｔ（３）が上面直径Ｄ（３）よりもわずかに大きいことにより、後述するように、ハトメ３５０の表面３５０Ｆが脚付きボタン２００の本体部２１０の裏面２２２に当接している状態では、ハトメ３５０の内径（生地穴部３５２の直径Ｔ（３））の周壁と上方立設部９２６の上方側（上面直径Ｄ（３）側）とがわずかな間隙で対向しているために、上方立設部９２６の上方側（上面直径Ｄ（３）側）が広がることを抑制できる。
【００５４】
また、ボタン留め具１００と組み合わせて使用されたハトメ３１０の厚みは詳細には説明されていなかったが、図６に示すように脚付きボタン２００の脚部２１０に設けられた穴部２１２に係止部１３０の略円形の突起が係合（嵌合）してボタン留め具１００に脚付きボタン２００を嵌め込むことができる厚みである。このことに加えて、ボタン留め具９００と組み合わせて使用されるハトメ３５０は、厚みＨ（２）を備える。そして、この厚みＨ（２）は、ボタン留め具９００の上方立設部９２６における高さＨ（１）よりも小さい（Ｈ（１）＞Ｈ（２））。
【００５５】
そして、このボタン留め具９００の上方立設部９２６における上面直径Ｄ（３）、下面直径Ｄ（４）および高さＨ（１）と、ハトメ３５０の内径（生地穴部３５２の直径Ｔ（３））および厚みＨ（２）とは、以下の作用効果を発現するように設定されている。
ボタン留め具９００と脚付きボタン２００とを取り付ける場合には、図１２（Ａ）に示すように、ボタン留め具９００と脚付きボタン２００とを、表側生地カバー３００Ｆに予め設けられたハトメ３５０により形成された生地穴部３５２に近接させる。ボタン留め具９００と脚付きボタン２００とを取り付ける方法および取り外す方法は、基本的には上述したボタン留め具１００と脚付きボタン２００とを取り付ける方法および取り外す方法と同じであるが、以下の点において、ボタン留め具１００よりもボタン留め具９００の方が特に好ましい。
【００５６】
ボタン留め具９００と脚付きボタン２００とを取り付ける場合および取り外す場合には、図１２（Ｂ）に示すように矢示Ｄ方向へハトメ３５０を下げて、ハトメ３５０の裏面３５０Ｂが平板９１０の表面９１０Ｆに当接させるようにする。
係止部９３０を備えた上方立設部９２６の高さＨ（１）がハトメ３５０の厚みＨ（２）よりも大きく（Ｈ（１）＞Ｈ（２））、かつ、上方立設部９２６の下面直径Ｄ（４）が上方立設部９２６の上面直径Ｄ（３）よりも小さい（Ｄ（３）＞Ｄ（４））ために、ハトメ３５０の裏面３５０Ｂが平板９１０の表面９１０Ｆに当接すると、ハトメ３５０の内径（生地穴部３５２の直径Ｔ（３））の周壁によっては、上方立設部９２６の上方側（上面直径Ｄ（３）側）が広がることを抑制されなくなる。このように抑制されなくなると、樹脂製の略Ｕ字形状の接続部９２０の上方立設部９２６を広げて、脚付きボタン２００の脚部２１０に設けられた穴部２１２に係止部９３０の略円形の突起が係合（嵌合）しやすくなったり、その係合（嵌合）を外しやすくなったりする。このように、接続部９２０の開放側９２０Ｕを広げやすくなるために、ボタン留め具９００に脚付きボタン２００を嵌め込みやすくなったり、その嵌め込みを外しやすくなったりする。
【００５７】
このようにしてボタン留め具９００と脚付きボタン２００とを取り付けた後の使用時には、図１２（Ｃ）に示すように矢示Ｕ方向へハトメ３５０を上げて、ハトメ３５０の表面３５０Ｆを脚付きボタン２００の本体部２１０の裏面２２２に当接させるようにする。なお、図１または図２に示すようにクッション材６００を絞り込むようにして（紐状物４００を短めにして）、ボタン留め具９００に脚付きボタン２００が取り付けられることが通常の態様であるので、使用時にはクッション材６００の膨らみにより通常はハトメ３５０が上がっている。
【００５８】
係止部９３０を備えた上方立設部９２６の高さＨ（１）がハトメ３５０の厚みＨ（２）よりも大きく（Ｈ（１）＞Ｈ（２））、かつ、上方立設部９２６の下面直径Ｄ（４）が上方立設部９２６の上面直径Ｄ（３）よりも小さい（Ｄ（３）＞Ｄ（４））ために、ハトメ３５０の表面３５０Ｆが脚付きボタン２００の本体部２１０の裏面２２２に当接すると、ハトメ３５０の内径（生地穴部３５２の直径Ｔ（３））の周壁によって、上方立設部９２６の上方側（上面直径Ｄ（３）側）が広がることが抑制される。このように抑制されると、樹脂製であっても略Ｕ字形状の接続部９２０の上方立設部９２６が広がらなくて、脚付きボタン２００の脚部２１０に設けられた穴部２１２に係合（嵌合）した係止部９３０の略円形の突起が外れにくく（外れなく）なる。このように、接続部９２０の開放側９２０Ｕが広がりにくくなるために、ボタン留め具９００に嵌め込まれた脚付きボタン２００が外れにくく（外れなく）なる。
【００５９】
このような構成を備えた第３の変形例に係るボタン留め具９００は、ボタン留め具１００と同様の作用効果を発現することができる上に、取り付け時においてボタン留め具９００に脚付きボタン２００を嵌め込みやすくなったり、取り外し時においてボタン留め具９００に嵌め込まれた脚付きボタン２００を取り外しやすくなったり、使用時においてボタン留め具９００に嵌め込まれた脚付きボタン２００が外れにくく（外れなく）なったりする点において、さらに好ましい。
【００６０】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６１】
本発明は、カバーリング方式の椅子自体または椅子に付ける、背部のクッション材または座部のクッション材を覆う生地カバーを着脱可能に保持するボタンを留めるボタン留め具に好ましく、様々なボタンを使用できかつクッション（充填材）にボタンが付いている必要がない点で汎用性が高く、安価で、着脱作業が容易な点で特に好ましい。
【符号の説明】
【００６２】
１００  ボタン留め具（実施の形態）
２００  脚付きボタン
３００  生地カバー
４００  紐状物
５００  裏側ボタン
６００  ウレタンフォーム
７００  ボタン留め具（第１の変形例）
８００  ボタン留め具（第２の変形例）
９００  ボタン留め具（第３の変形例）
【図２】
2016202487.tif 000003
【図３】
2016202487.tif 000004
【図４】
2016202487.tif 000005
【図５】
2016202487.tif 000006
【図６】
2016202487.tif 000007
【図７】
2016202487.tif 000008
【図８】
2016202487.tif 000009
【図９】
2016202487.tif 000010
【図１０】
2016202487.tif 000011
【図１１】
2016202487.tif 000012
【図１２】
2016202487.tif 000013
【図１】
2016202487.tif 000014